(57)【要約】【課題】ペーパーの折幅調整をコンパクトな構成で実現するとともに、折幅の大小に拘らず常時適正な折幅を維持し得るようにしたペーパーホルダーを提供する。【解決手段】折重ね機構Ｑを、ペーパー受け面５２の前端側に配置された第１ガイド壁５３と後端側に配置された第２ガイド壁５５を備え、且つ該第２ガイド壁５５の配置位置を前後方向において変更可能に構成し、該各ガイド壁５３、５５の間で交互に折り返して折重ねられるペーパーの折幅、を変更設定し得るように構成する。係る構成によれば、上記第１ガイド壁５３が手前側へ延出しないので、折重ね機構Ｑを付加したにも拘らず、トイレ内での移動に伴う安全性が確保される。また、第２ガイド壁５５が奥側にあることから、不用意に人が触れてその位置が変更されるということはなく、一旦設定した上記第２ガイド壁５５の位置、即ち、ペーパーの折幅が維持され、使用上の利便性が向上する。【選択図】図１
2010063604.tif 000002
【特許請求の範囲】
【請求項１】
ペーパーロール（４）を支持し且つ該ペーパーロール（４）を回転させて該ペーパーロール（４）からペーパー（６）を繰り出す繰出し機構（Ｐ）と、上記繰出し機構（Ｐ）の下方に位置して上記ペーパーロール（４）から繰り出されて垂れ下がるペーパー（６）を多重に折り重ねてペーパー多重体（７）を形成する折重ね機構（Ｑ）を備えて構成されるペーパーホルダーであって、
上記折重ね機構（Ｑ）が、略水平方向へ延出するペーパー受け面（５２）と、垂下するペーパー（６）をその厚さ方向に挟むように上記ペーパー受け面（５２）の前端側に配置された第１ガイド壁（５３）と後端側に配置された第２ガイド壁（５５）を備えるとともに、上記第２ガイド壁５５の配置位置を前後方向において変更可能とすることで上記第１ガイド壁（５３）と第２ガイド壁（５５）の対向間隔を変更設定し得るように構成したことを特徴とするペーパーホルダー。
【請求項２】
請求項１において、
上記第２ガイド壁（５５）は、上方に向かうに伴って上記対向間隔を拡大させるように後方側へ傾倒していることを特徴とするペーパーホルダー。
【請求項３】
請求項２において、
上記第２ガイド壁（５５）の傾倒角が、上記対向間隔の拡大変化に伴って減少変化するように設定されていることを特徴とするペーパーホルダー。
【発明の詳細な説明】
【技術分野】
【０００１】
本願発明は、トイレットペーパーをロール状に巻きとってなるペーパーロールを保持し、且つこれを必要に応じて、多重に折重ねて取り出すことができるようにしたペーパーホルダーに関するものである。
【背景技術】
【０００２】
一般に、トイレットペーパーは、これをロール状に巻きとってなるペーパーロールとして市販され、需要者はこれを、トイレの壁面等に固定されたペーパーホルダーに取り付け、使用に際しては、ペーパーロールからペーパーを巻き戻し且つ所要長さに切り離してこれを使用するが、この場合、ペーパーは、薄いことからこれを一枚で使用することは殆どなく、通常は、ペーパーを何重かに折り重ね、これをペーパーロール側から切り離して使用するのが通例である。
【０００３】
ところで、ペーパーの切り離しは、該ペーパーが薄く切り離し易いこと、さらに近年は予め切り離し用のミシン目が付けられていることから、両手を使用せずとも、片手で容易に切り離すことができる。しかし、ペーパーロールから巻き戻されるペーパーを所要長さで何重かに折り重ねる作業は、これを片手で行うことは難しく、従って、両手を使ってペーパーの巻き戻しと折り重ねを行うのが通例である。
【０００４】
このように、ペーパーロールから巻き戻されるペーパーを所要長さで何重かに折り重ねる作業は、両手が自由に使える健常者の場合には何等問題はない。しかし、例えば、身体的な障害とか老齢のために両手を自由に使うことができない者（以下、「身体的弱者」という）にとって、上記作業は決して容易なものではない。
【０００５】
このような事情を背景に、ペーパーロールから巻き戻されるペーパーを所要長さで何重かに折り重ねる作業を簡易化して、身体的弱者の負担を軽減し得るようにしたペーパーホルダーが提案されている（例えば、特許文献１、２参照）。
【０００６】
特許文献１及び特許文献２に示されるものは、共に、ペーパーロールから繰り出されるペーパーを自由に垂下させて下方の受け部でジグザク状に折り重ねるものである。これは、ペーパーの腰の強さをうまく利用し、受け部の前後両側に配置された壁部でペーパーを折り返させるようにしたものである。
【０００７】
ここで、ペーパーの使用者が要求するペーパーの折幅は一定ではなく、その使用状況とか自己の好み等によって異なるものと考えられ、また一旦、最適な折幅が設定されるとこれを継続的に使用するのが通例である。
【０００８】
ところが、特許文献１に記載のものでは、この折幅の調整機能が備えられておらず、従って、使用に際しての満足度が低いものとならざるを得ない。
【０００９】
これに対して、特許文献２に記載のものでは、紙受けの前後両端側にそれぞれ設けられてペーパーの折重ね作用に関与する前壁と後壁のうち、前壁を前後方向に移動可能とし、該前壁の位置調整によってペーパーの折幅を調整し得るようにしている。
【特許文献１】特開２００８−５５０２９号公報
【特許文献２】特開２００３−７２９９８号公報。
【発明の開示】
【発明が解決しようとする課題】
【００１０】
しかし、上記特許文献２のものでは、ペーパーホルダーの前面側に延出配置された上記前壁をさらに手前へ引き出すことでペーパーの折幅を調整する構成であることから、一般的に小スペースに作られたトイレ内において使用者が移動する場合、ペーパーホルダーの手前側へ延出した上記前壁が邪魔になり、特に折重ね機能の付いたペーパーホルダーの使用を欲する者が高齢者等の身体的弱者であることに鑑みれば、トイレ内での安全性の確保という点において好ましくない状況であり、この点において改善の余地が認められる。また、上記前壁を手前へ容易に引き出すことができるということは、逆言すれば、手前へ引き出された前壁に人が誤って手を付いた場合、該前壁が不用意に奥側へ押し込まれるということであり、係る不用意な移動も安全性の確保という点において好ましくない。
【００１１】
さらに、垂下状態で繰り出されるペーパーをその繰り出し作用を利用して多重に折重ねる場合、折重ね方向両端の円弧状の折り返し部分は折重ね方向中央寄り部分より高さが高くなり、その表面形状は折重ね方向両端から中央寄り側へ傾斜することから、単に同じ折幅で多重に折重ねると、下段側の折り返し部分と上段側の折り返し部分の間に滑りが生じ、次第に折り返し部分が折重ね方向内側へズレ込み、結果的に当初予定の折幅よりも折幅が小さくなり、その使用に際して不便を来たすことも考えられ、この点においても改善の余地がある。
【００１２】
そこで本願発明は、ペーパーの折幅調整をコンパクトな構成で実現してその使用上の利便性及び安全性を高めるとともに、折幅の大小に拘らず常時適正な折幅を維持することで使用上の信頼性を確保するようにしたペーパーホルダーを提供することを目的としてなされたものである。
【課題を解決するための手段】
【００１３】
本願発明では、上記課題を解決するために以下のような構成を採用している。
【００１４】
本願の第１の発明では、ペーパーロール４を支持し且つ該ペーパーロール４を回転させて該ペーパーロール４からペーパー６を繰り出す繰出し機構Ｐと、上記繰出し機構Ｐの下方に位置して上記ペーパーロール４から繰り出されて垂れ下がるペーパー６を多重に折り重ねてペーパー多重体７を形成する折重ね機構Ｑを備えて構成されるペーパーホルダーにおいて、上記折重ね機構Ｑを、略水平方向へ延出するペーパー受け面５２と、垂下するペーパー６をその厚さ方向に挟むように上記ペーパー受け面５２の前端側に配置された第１ガイド壁５３と後端側に配置された第２ガイド壁５５を備えるとともに、上記第２ガイド壁５５の配置位置を前後方向において変更可能とすることで上記第１ガイド壁５３と第２ガイド壁５５の対向間隔を変更設定し得るように構成したことを特徴としている。
【００１５】
本願の第２の発明では、上記第１の発明に係るペーパーホルダーにおいて、上記第２ガイド壁５５を、上方に向かうに伴って上記対向間隔を拡大させるように後方側へ傾倒させたことを特徴としている。
【００１６】
本願の第３の発明では、上記第２の発明に係るペーパーホルダーにおいて、上記第２ガイド壁５５の傾倒角を、上記対向間隔の拡大変化に伴って減少変化するように設定したことを特徴としている。
【発明の効果】
【００１７】
本願発明では次のような効果が得られる。
（ａ）本願の第１の発明に係るペーパーホルダーによれば、上記折重ね機構Ｑが、上記ペーパー受け面５２の前端側に配置された第１ガイド壁５３と後端側に配置された第２ガイド壁５５を備え、且つ該第２ガイド壁５５の配置位置を前後方向において変更可能とすることで上記第１ガイド壁５３と第２ガイド壁５５の対向間隔、即ち、該第１ガイド壁５３と第２ガイド壁５５の間で交互に折り返して折重ねられるペーパーの折幅、を変更設定し得るように構成されているので、
（ａ−１）  折幅を拡大側へ変更しても、ペーパーホルダーの前面側（手前側）にある上記第１ガイド壁５３の位置は当初設定の位置で保持され、これが手前側へ延出するということがないため、例えトイレ内が小スペースであっても、折幅の拡大調整に伴って該トイレスペースが狭められるということが無く、その結果、トイレ内での移動に伴う安全性が確保され、特に、使用者が高齢者等の身体的弱者である場合にはその効果は顕著である、
（ａ−２）  ペーパーの折幅の調整が、上記ペーパー受け面５２の奥側に位置する上記第２ガイド壁５５を移動させることで行われることから、この位置変更された第２ガイド壁５５にトイレの使用者が不用意に触れるということがなく、これによって使用上の安全性がさらに高められる、
（ａ−３）  上記第２ガイド壁５５が上記ペーパー受け面５２の奥側にあることから、人が第２ガイド壁５５に不用意に触れてその位置が変更されるということはなく、一旦設定した上記第２ガイド壁５５の位置、即ち、ペーパーの折幅は、再度折幅調整を行うまでそのまま維持されるが、これは、特に家庭用のトイレにおいてはその使用者が特定されており、一旦好みの折幅に設定した後は、その状態を継続し、むやみにこれを変更することがないのが通例であることに鑑みれば、ペーパーホルダーの使用上の利便性の向上につながる、
等の効果が得られる。
【００１８】
（ｂ）本願の第２の発明に係るペーパーホルダーによれば、上記（ａ）に記載の効果に加えて、以下のような特有の効果が得られる。即ち、この発明では、上記第２ガイド壁５５を、上方に向かうに伴って上記対向間隔を拡大させるように後方側へ傾倒させているので、ペーパーが上記第１ガイド壁５３と第２ガイド壁５５にガイドされて円弧状に折り返されるとき、該第２ガイド壁５５側の折り返し部分では、下段側の折り返し部分よりも折重ね方向外側寄りで上段側が円弧状に折り返され、該上段側の折り返し部分が下段側の折り返し部分よりも内側寄りへズレ込むことが防止される一方、上記第１ガイド壁５３側では上段側の折り返し部分が下段側の折り返し部分よりも内側寄りへズレ込むこととなり、その結果、上記第１ガイド壁５３と第２ガイド壁５５の対向間隔によって規定されるペーパーの折幅が、折重ね段数の増加に拘らず可及的に維持され、ペーパーの使用に際して不便を来たすことがなく、使用上の信頼性が確保されることになる。
【００１９】
（ｃ）本願の第３の発明に係るペーパーホルダーによれば、上記（ｂ）に記載の効果に加えて、以下のような特有の効果が得られる。即ち、この発明では、上記第２ガイド壁５５の傾倒角を、上記対向間隔の拡大変化に伴って減少変化するように設定しているので、ペーパーの折幅の均一維持がより一層確実となる。即ち、ペーパーが折重ねられる場合、下段側のペーパーと上段側のペーパーは相互に接触し、ここにペーパー面に沿う方向の滑り抵抗が発生するが、この滑り抵抗は接触面の長さが長くなるほど大きくなる、即ち、上記第１ガイド壁５３と第２ガイド壁５５の対向間隔を大きくして折幅を拡大するほど滑り抵抗も大きくなり、それに伴って下段側のペーパーと上段側のペーパー間の滑り量が小さくなる。従って、上記第２ガイド壁５５側において上段側の折り返し部分を下段側の折り返し部分よりも折重ね方向外側へ偏位させる必要性が少なく、この偏位量の減少分だけペーパーの折幅の均一維持がより一層確実となるものである。
【発明を実施するための最良の形態】
【００２０】
以下、本願発明を好適な実施形態に基づいて具体的に説明する。
【００２１】
図１〜図３には、本願発明の実施形態に係るペーパーホルダー１を示している。このペーパーホルダー１は、トイレの壁面に固定されて使用されるものであって、本来的な機能であるペーパーロール４の保持機能に加えて、ペーパーの繰り出し機能と折重ね機能を備え、例えば、両手を自由に使うことが困難な身体的弱者であっても、ペーパーの繰り出しと折り重ね、さらにその取り出しという一連の作業を片手で容易に行うことができるようにしたものであり、次述のホルダー部２とペーパー受部３を備えて構成される。
【００２２】
Ａ：ホルダー部２の構成
上記ホルダー部２は、トイレ壁面に固定されるホルダーケース１１内に、保持機構Ｒと繰出し機構Ｐを収容して構成される。
【００２３】
「ホルダーケース１１」
上記ホルダーケース１１は、下面が開放された略矩形の箱体であって、前面１１ａと背面１１ｂと左右一対の側面１１ｃ、１１ｄ及び天面１１ｅを備え、上記背面１１ｂをトイレ壁面に衝合固定することで該トイレ壁面に固定される。上記天面１１ｅから前面１１ａの上部にかけての部分にはペーパーロール脱着用の上側開口１３が形成されるとともに、該上側開口１３は開閉カバー１４によって開閉蓋される。
【００２４】
また、上記前面１１ａの下部には、底面１１ｆ側に開放された下側開口１２が設けられている。この下側開口１２の内側口縁には、内方へ適宜延出した状態で、該下側開口１２の幅方向へ延びる切刃部１６が設けられている。
【００２５】
さらに、上記ホルダーケース１１の一側面１１ｃには、その上部寄りの一部を外方へ膨出させて膨出部１５が形成されている。この膨出部１５は、後述の繰出し機構Ｐの一部の配置スペースとされる。
【００２６】
「保持機構Ｒ」
上記保持機構Ｒは、図２及び図３に示すように、上記ホルダーケース１１の背面１１ｂの上部中央側に固定されたブラケット２１の左右両端からそれぞれ前方（前面１１ａ側）へ延出する先端部に、上記ホルダーケース１１の幅方向に対向状態で左右一対の掛止爪１７，１７を備えて構成される。この掛止爪１７は、上記上側開口１３から差し入れられるペーパーロール４を保持し、且つその繰り出し回転を許容するものであって、上下方向に回動可能とされ、図２に実線図示する略水平な延出位置を常態とし、この常態位置ではそれより下方側への回動が規制される一方、該常態位置から上方側へは鎖線図示するように回動可能とされている。
【００２７】
そして、上記左右一対の掛止爪１７，１７は、その常態位置において上記ペーパーロール４のロール芯５内にその両端側からそれぞれ進入してこれを回転自在に支持して該ペーパーロール４の使用を可能にする。また、上記ペーパーロール４の取替えは、新しいペーパーロール４を上記上側開口１３から上記ホルダーケース１１内に差し入れて、上記掛止爪１７，１７によって支持されている先使用のロール芯５を突き上げて該掛止爪１７，１７を上方へ回動させ、該掛止爪１７，１７を先使用のロール芯５から離脱させると同時に、新しいペーパーロール４のロール芯５側へ係入替えすることで行われる。
【００２８】
「繰出し機構Ｐ」
上記繰出し機構Ｐは、上記保持機構Ｒの上記各掛止爪１７，１７によって保持されたペーパーロール４から、ここに巻き付けられたペーパー６を所定速度で順次巻き戻すものであって、上記ホルダーケース１１の背面１１ｂの幅方向両側部に配置された左右一対のブラケット２２，２３にそれぞれ支点ピン４１を介して揺動アーム３６、３６を取付けるとともに、該各揺動アーム３６，３６の先端部間に、その中間位置に筒状の回転体の外周にゴムリングで構成される摺接材３７を装着した回転軸３５を支承させている。
【００２９】
また、上記各揺動アーム３６，３６と上記各ブラケット２２，２３の間にはそれぞれ付勢バネ３８が張設され、該各揺動アーム３６，３６は、該付勢バネ３８によって、上記回転軸３５を上記掛止爪１７，１７に支持されたペーパーロール４の上面側に押圧させる方向に常時付勢されている。
【００３０】
従って、上記回転軸３５が後述するモータ３１によって回転駆動されると、該回転軸３５に設けた上記摺接材３７が上記ペーパーロール４の上面に押圧接触しながら回転し、上記ペーパーロール４を繰り出し方向へ回転させ、これによって上記ペーパーロール４からペーパー６が順次繰り出されることになる。
【００３１】
この場合、回転駆動される上記摺接材３７を上記ペーパーロール４の表面に押圧付勢して該ペーパーロール４を繰り出し方向へ回転させる構成としているので、ペーパー６はペーパーロール４の回転に伴って自由状態で順次繰り出され、例えば、上記ペーパーロール４に所定の繰り出し抵抗を付与した状態で該ペーパーロール４からペーパー６を引き出すような場合に生じ得る問題、例えば、繰り出し抵抗の過大に起因するペーパー切れとか、繰り出し抵抗の過小に起因するペーパーの弛みが未然に防止される。
【００３２】
一方、上記ホルダーケース１１の上記膨出部１５側に位置する上記ブラケット２２には、モータ３１が取付けられている。このモータ３１のモータ軸には、プーリ３２が軸着されている。さらに、上記回転軸３５の一端には、プーリ３３が軸着されている。また、これら各プーリ３２、３３間にはベルト３４は巻き掛けられている。従って、上記モータ３１が運転されると、その回転力が上記ベルト３４を介して上記回転軸３５に伝達され、該回転軸３５に設けた上記摺接材３７によって上記ペーパーロール４が繰り出し方向へ回転駆動される。
【００３３】
また、上記ホルダーケース１１の膨出部１５の下面側には、スイッチ部材３９が配置されるとともに、該スイッチ部材３９には操作レバー４０が取付けられている。この操作レバー４０は、上記膨出部１５の下面側からその下方へ延出して上記一側面１１ｃに対向している。この操作レバー４０を前後何れかの方向へ（例えば、上記ペーパーホルダー１の取付壁面の位置によって選択される）傾動操作することで、上記モータ３１が発停制御される。
【００３４】
なお、上記操作レバー４０の機能としては、例えば、該操作レバー４０の一回の操作によって一回の使用量に相当する長さのペーパー６が繰り出されるようにするとか、該操作レバー４０の操作量（傾動操作幅）あるいは操作時間に対応してペーパー６の繰り出し長さが選択できるように構成することも可能である。また、上記モータ３１の操作部としては、上記操作レバー４０に限定されるものではなく、例えば、押しボタン式とかダイヤル式の操作部とすることもできる。
【００３５】
また、本願発明は、上記保持機構Ｒ及び繰出し機構Ｐの構成を限定するものではない。従って、これら保持機構Ｒ及び繰出し機構Ｐとして、この実施形態の構成に限定されず、上述の機能を備えた構成であれば足りる。
【００３６】
Ｂ：ペーパー受部３の構成
上記ペーパー受部３は、図１〜図３に示すように、上記ホルダー部２の下端部に組付けられて、該ホルダー部２側の上記繰出し機構Ｐによって垂下状態で繰り出されるペーパー６を受けて、これを多重に折重ねて使用に適したペーパー多重体７を形成するものであって、次述のケース体５０と該ケース体５０内に組み込まれた折重ね機構Ｑを備えて構成される。
【００３７】
「ケース体５０」
上記ケース体５０は、図４及び図５に示すように、所定間隔をもって離間対向するとともにその前端部が前方へ延出した形体をもつ左右一対の側壁部５１，５１と、該各側壁部５１，５１の下端部相互を連結するとともにその幅方向の略中央に前方へ開放された切欠き部５４を備えた平板状のペーパー受け面５２と、上記各側壁部５１、５１の前端部と上記ペーパー受け面５２の前端部で形成されるコーナ部分を前方から覆うようにして上記切欠き部５４の左右両側にそれぞれ設けられた左右一対の第１ガイド壁５３，５３を備えて構成される。
【００３８】
そして、このケース体５０は、図１及び図２に示すように、上記左右一対の側壁部５１，５１を、上記ホルダー部２側の上記ホルダーケース１１の各側面１１ｃ、１１ｄの内面側に嵌挿し、これら両者を複数の固定ビス２５によって締結することで、上記ホルダーケース１１側に組み付けられ、該ホルダーケース１１と一体化される。なお、上記ケース体５０の上記ホルダーケース１１側への固定構造は、上例の限定されるものではなく、必要に応じて種々の固定構造を採用できることは言うまでもない。
【００３９】
上記第１ガイド壁５３の内面は、上記ペーパー６を折重ねる際に、該ペーパー６の折り返し位置を規制するものであって、この実施形態では上記ペーパー受け面５２に略垂直な面としている。
【００４０】
また、図５に示すように、上記ケース体５０の各側壁部５１、５１の内面の下部位置には、所定大きさの突起６０Ａ，６０Ｂが複数個形成されている。この突起６０Ａ，６０Ｂは、後述する第２ガイド壁５５を選択的に掛止保持する機能をもつものであって、上下方向に所定間隔をもって且つ上記ペーパー受け面５２における垂直線Ｌに対して後方側へ所定の傾倒角αだけ傾斜した線上に設けられており、この一対の突起６０Ａ，６０Ｂで一つのストッパー６０を構成している。この実施形態では、係る構成のストッパー６０を、上記ペーパー受け面５２の前後方向に所定間隔で５個備えている。
【００４１】
これら各ストッパー６０、６０、・・間に形成される傾斜したスペースが、後述の第２ガイド壁５５の係入部として機能する。従って、この実施形態では、図３及び図５に示すように、上記第２ガイド壁５５の配置位置を前後４段階の位置間で任意に選択できることになる。
【００４２】
なお、この実施形態では、上記ストッパー６０を上下一対の突起６０Ａ，６０Ｂで構成しているが、係る構成に限定されるものではなく、例えば、該ストッパー６０を線状の突条で構成するなど、種々の構成を採用し得ることはいうまでも無い。
【００４３】
上記第２ガイド壁５５は、所定大きさの平板単体で構成され、その本体部５５ａの下端部の左右両端には、それぞれ面方向外側へ延出する矩形状の掛止部５５ｂ、５５ｂが形成されている。この各掛止部５５ｂ、５５ｂを上記ケース体５０側の上記各ストッパー６０間の各係入部に選択掛止させることで、該ケース体５０側に取付けられる。この取付状態を図３及び図４に示している。
【００４４】
上記第２ガイド壁５５は、上記第１ガイド壁５３と同様に、上記ペーパー６を折重ねる際に、該ペーパー６の折り返し位置を規制する作用を為すものであって、上記第１ガイド壁５３の内面と上記第２ガイド壁５５の内面との前後方向の対向間隔によってペーパー多重体７の折幅が規定される。
【００４５】
なお、この実施形態では上述のように、上記第２ガイド壁５５を後方側へ傾倒させた状態で配置しているため、上記第１ガイド壁５３の内面と上記第２ガイド壁５５の内面との対向間隔は、上記ペーパー受け面５２の上面から上方へ向かうに伴って拡大することになるが、後述するように、ペーパー６の折り返し部分のズレによって、結果的には上記第１ガイド壁５３の下部と上記第２ガイド壁５５の下部における対向間隔に近い折幅が得られる。
【００４６】
そして、実質的な折幅の調整は、上記第２ガイド壁５５を上記各ストッパー６０、６０、・・に選択掛止することによる上記第１ガイド壁５３と第２ガイド壁５５の対向間隔の変化によって行われる。即ち、上記第２ガイド壁５５の掛止位置を、前後方向に並んだ上記各ストッパー６０、６０、・・のうち、後方側のストッパー６０に掛止させるほど上記対向間隔が拡大し、それに伴って上記ペーパー６の折幅が増大するものである。
【００４７】
なお、この実施形態では、上記ケース体５０該の上記第１ガイド壁５３と上記ペーパー受け面５２、及び上記第２ガイド壁５５の三者によって「折重ね機構Ｑ」が構成されている。
【００４８】
Ｃ：使用状態の説明
ここで、上記ペーパーホルダー１の使用状態を説明する。
【００４９】
上記ペーパーホルダー１の使用に際しては、先ず、上記保持機構Ｒの上記掛止爪１７，１７にペーパーロール４を装着する。この場合、上記ペーパーロール４によって上記回転軸３５が、上記付勢バネ３８の付勢力に抗して上方へ回動され、上記摺接材３７が所定の押圧力で上記ペーパーロール４の表面に接触される。即ち、上記ペーパーロール４の装着動作に連動して自動的に上記繰出し機構Ｐが作動可能状態とされる。
【００５０】
上記ペーパーロール４を上記保持機構Ｒに装着した後、上記操作レバー４０を適宜操作して、あるいは、一旦、手で上記回転軸３５を持ち上げて上記摺接材３７をペーパーロール４の表面から離した状態で、上記ペーパーロール４からペーパー６を所定量だけ繰り出して、その始端を上記ペーパー受部３の近くに位置させる。以上で、事前操作が完了する。
【００５１】
実際の使用に際しては、使用者は上記操作レバー４０を操作すれば良い。この場合、上記操作レバー４０が上記ペーパーホルダー１の側面に設けられており、且つ比較的大きな形状とされているので、その操作が容易且つ確実であり、特に身体的弱者が操作する場合にはその効果が顕著なものである。
【００５２】
ここで、例えば、上記操作レバー４０の一回の操作によって、一回の使用量に相当する長さのペーパー６が繰り出される構成とした場合には、使用者は上記操作レバー４０を一回操作すれば、後は上記ペーパー受部３部分に上記ペーパー６が折重ねられて上記ペーパー多重体７が形成されるのを待ち、これが形成された後、上記ペーパー受け面５２側に設けられた上記切欠き部５４部分及びこれに対応する上記ホルダー部２側の下側開口１２から手を入れて、上記ペーパー多重体７を掴み、これを手前に引き出せば良い。
【００５３】
すると、上記モータ３１が停止しており、上記ペーパーロール４はこれに接触している上記摺接材３７によってその回転か規制されているので、上記ペーパー多重体７を手前に引き出すことで、上記ペーパー６に所定間隔で引き離し用のミシン目が入っている場合には、上記引き出し力によって該ミシン目で引き離される。また、上記ペーパー６にミシン目が入っていない場合には、該ペーパー６が上記切刃部１６によって強制的に切断され、上記ペーパー多重体７が上記ペーパーロール４側から引き離される。従って、使用者は、手に取った上記ペーパー多重体７をそのまま使用することができる。
【００５４】
ここで、使用者が欲する上記ペーパー多重体７の折幅は一定ではなく、使用状況あるいは好みによって異なるものであり、しかも一旦使用者が要求した折幅は使用の都度変化するものではなく、その後も継続的に選択されるのが通例である。このような使用者側の要求に応えるべく開発されたのが上記折重ね機構Ｑである。以下、この折重ね機構Ｑによる特有の作用効果について説明する。
【００５５】
この実施形態のペーパーホルダー１では、上述のように、上記折重ね機構Ｑを、上記ペーパー受け面５２の前端側に配置された上記第１ガイド壁５３と後端側に配置された上記第２ガイド壁５５を備え、且つ該第２ガイド壁５５の配置位置を前後方向において変更可能とすることによって、即ち、上記複数のストッパー６０、６０、・・に対する上記第２ガイド壁５５の掛止位置を選択することによって、上記第１ガイド壁５３と第２ガイド壁５５の対向間隔、即ち、該第１ガイド壁５３と第２ガイド壁５５の間で交互に折り返して折重ねられるペーパー６の折幅を増減変更し得るように構成している。
【００５６】
係る構成によって、上記ペーパー６の折幅を任意に設定でき、使用者の利便性の向上に寄与できることは勿論であるが、それに加えて、以下のような特有の作用効果も得られる。
【００５７】
即ち、上記第２ガイド壁５５の配置位置を変えて上記ペーパー多重体７における上記ペーパー６の折幅を拡大側へ変更しても、上記ペーパーホルダー１の前面側（手前側）にある上記第１ガイド壁５３の位置は当初設定の位置で保持され、これが手前側へ延出するということは無い。このため、例えトイレ内が小スペースであっても、上記ペーパー６の折幅の拡大調整に伴って該トイレスペースが狭められるということが無く、その結果、トイレ内での移動に伴う安全性が確保され、特に、使用者が高齢者等の身体的弱者である場合にはその効果は顕著なものとなる。また、上記ペーパー６の折幅の調整が、上記ペーパー受部３の奥側に配置される上記第２ガイド壁５５を前後方向に移動させることで行われることから、この位置変更された上記第２ガイド壁５５にトイレの使用者が不用意に触れるということがなく、これによって使用上の安全性がさらに高められることにもなる。
【００５８】
さらに、上記第２ガイド壁５５が上記ペーパー受部３の奥側にあることから、人が上記第２ガイド壁５５に不用意に触れてその位置が変更されるということはなく、一旦設定した上記第２ガイド壁５５の位置、即ち、ペーパー６の折幅は、再度折幅調整を行うまでそのまま維持される。この場合、特に家庭用のトイレにおいてはその使用者が特定されており、一旦好みの折幅に設定した後は、その状態を継続し、むやみにこれを変更することがないのが通例であることに鑑みれば、上記ペーパー６の折幅が維持されることで、上記ペーパーホルダー１の使用上の利便性がさらに向上することになる。
【００５９】
一方、垂下状態で繰り出される上記ペーパー６をその繰り出し作用を利用して多重に折重ねる場合、折重ね方向両端の円弧状の折り返し部分は、折重ね方向中央寄り部分より高さが高くなり、その表面形状は折重ね方向両端から中央寄り側へ傾斜することから、単に同じ折幅で多重に折重ねると、下段側の折り返し部分と上段側の折り返し部分の間に滑りが生じ、次第に折り返し部分が折重ね方向内側へズレ込み、その結果、ペーパー６の折重ね段数の増加に伴って、上記ペーパー６の折幅が当初予定の折幅よりも小さくなる傾向があることは既述の通りである。
【００６０】
しかし、この実施形態のペーパーホルダー１では、上記第２ガイド壁５５を、上方に向かうに伴って上記対向間隔を拡大させるように後方側へ傾倒させているので、上記ペーパー６が上記第１ガイド壁５３と第２ガイド壁５５にガイドされて円弧状に折り返されるとき、該第２ガイド壁５５側の折り返し部分では、下段側の折り返し部分よりも折重ね方向外側寄りで上段側が円弧状に折り返され、上段側の折り返し部分が下段側の折り返し部分よりも内側寄りへズレ込むことが防止される一方、上記第１ガイド壁５３側では、上段側の折り返し部分が下段側の折り返し部分よりも内側寄りへズレ込むことになる。これら各ガイド壁５３、５５側における折り返し形態の相乗効果により、上記第１ガイド壁５３と第２ガイド壁５５の対向間隔によって規定される上記ペーパー６の折幅が、折重ね段数の増加に拘らず可及的に維持され、ペーパー６の使用に際して不便を来たすことがなく、使用上の信頼性が確保されることになる。
【００６１】
ところで、上記第２ガイド壁５５を後傾させる必要性、即ち、上段側の折り返し部分が下段側の折り返し部分よりも内側寄りへズレ込むことに起因する折幅の減少変化を防止する必要性は、折幅の大小に拘らず一定なものではなく、折幅の大きさによって異なるものと考えられる。従って、上記第２ガイド壁５５を後傾させることによる効果をさらに促進させるという観点からすれば、上例のように上記第２ガイド壁５５の傾倒角を、該第２ガイド壁５５の配置位置の変化に拘らず常時一定に保持するのに代えて、例えば、図６に示すように、上記第２ガイド壁５５の傾倒角を、該第２ガイド壁５５の掛止位置が上記第１ガイド壁５３から遠ざかるに伴って（即ち、上記対向間隔が増大するに伴って）次第に小さくなるように（即ち、鉛直に近くなるように）、上記各ストッパー６０の配置構成を変更することが考えられる。
【００６２】
係る構成によれば、上記ペーパー６の折幅の均一維持がより一層確実となる。即ち、ペーパー６が折重ねられる場合、下段側のペーパー６と上段側のペーパー６は相互に接触し、ここにペーパー面に沿う方向の滑り抵抗が発生するが、この滑り抵抗は接触面の長さが長くなるほど大きくなる、即ち、上記第１ガイド壁５３と第２ガイド壁５５の対向間隔を大きくして折幅を拡大するほど滑り抵抗も大きくなり、それに伴って下段側のペーパーと上段側のペーパー間の滑り量が小さくなる。従って、上記第２ガイド壁５５側において上段側の折り返し部分を下段側の折り返し部分よりも折重ね方向外側へ偏位させる必要性が少なく、この偏位量の減少分だけペーパー６の折幅の均一維持がより一層確実となるものである。
【図面の簡単な説明】
【００６３】
【図１】本願発明の実施形態に係るペーパーホルダーの全体斜視図である。
【図２】上記ペーパーホルダーの正面図である。
【図３】図２のＩＩＩ−ＩＩＩ断面図である。
【図４】上記ペーパーホルダーに備えられた折重ね機構部分の斜視図である。
【図５】上記折重ね機構部分の分解斜視図である。
【図６】上記折重ね機構部分の他の構造を示す部分側面図である。
【符号の説明】
【００６４】
１    ・・ペーパーホルダー
２    ・・ホルダー部
３    ・・ペーパー受部
４    ・・ペーパーロール
５    ・・ロール芯
６    ・・ペーパー
７    ・・ペーパー多重体
１１    ・・ホルダーケース
１２    ・・下側開口
１３    ・・上側開口
１４    ・・開閉カバー
１５    ・・膨出部
１６    ・・切刃部
１７    ・・掛止爪
２１    ・・ブラケット
２２    ・・ブラケット
２３    ・・ブラケット
２５    ・・固定ビス
３１    ・・モータ
３２    ・・プーリ
３３    ・・プーリ
３４    ・・ベルト
３５    ・・回転軸
３６    ・・揺動アーム
３７    ・・摺接材
３８    ・・付勢バネ
３９    ・・スイッチ部材
４０    ・・操作レバー
４１    ・・支点ピン
５０    ・・ケース体
５１    ・・側壁部
５２    ・・ペーパー受け面
５３    ・・第１ガイド壁
５４    ・・切欠き部
５５    ・・第２ガイド壁
５６    ・・多重体収容部
６０    ・・ストッパー
Ｐ    ・・繰出し機構
Ｑ    ・・折重ね機構
Ｒ    ・・保持機構
【図１】
2010063604.tif 000003
【図２】
2010063604.tif 000004
【図３】
2010063604.tif 000005
【図４】
2010063604.tif 000006
【図５】
2010063604.tif 000007
【図６】
2010063604.tif 000008